【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
ビデオデータ信号を符号化する方法であって、ビデオデータ信号は符号化され、符号化されるビデオデータ信号は、プライマリビデオデータ信号及びセカンダリビデオデータ信号を少なくとも有し、プライマリビデオデータ信号及びセカンダリビデオデータ信号は一緒に圧縮され、プライマリビデオデータ信号は自己完結的に圧縮され、セカンダリビデオデータ信号はプライマリビデオデータ信号からのデータを用いて圧縮され、一緒に圧縮されたビデオデータ信号は、別々のビットストリームに分割され、当該ビットストリームは、プライマリビデオデータ信号のためのデータを含むプライマリビットストリーム及びセカンダリビデオデータ信号のためのデータを含むセカンダリビットストリームを有し、その後、プライマリビットストリーム及びセカンダリビットストリームは多重化信号へと多重化され、プライマリ信号及びセカンダリ信号は別々の符号を与えられる方法。
【請求項２】
請求項１に記載のビデオデータ信号を符号化する方法であって、ビデオデータ信号は符号化され、符号化されるビデオデータ信号は、フレームの第１セット及び少なくとも一つの第２セットを有し、第１セット及び第２セットのフレームがインターリーブされたビデオシーケンスを構成するようにインターリーブされるか、又は、フレームの第１セット及び第２セットを有するインターリーブされたビデオデータ信号が受信され、インターリーブされたビデオシーケンスは圧縮ビデオデータ信号へと圧縮され、第１セットのフレームは、第２セットのフレームを用いることなく符号化及び圧縮され、第２セットのフレームは第１セットのフレームを用いて符号化及び圧縮され、圧縮ビデオデータ信号は続いてプライマリビットストリーム及び少なくとも一つのセカンダリビットストリームへと分割され、各ビットストリームはフレームを有し、プライマリビットストリームは第１セットの圧縮されたフレームを有し、セカンダリビットストリームは第２セットの圧縮されたフレームを有し、プライマリビットストリーム及びセカンダリビットストリームは別々のビットストリームを構成し、その後、プライマリビットストリーム及びセカンダリビットストリームは多重化信号に多重化され、プライマリ信号及びセカンダリ信号は別々の符号を与えられる方法。
【請求項３】
請求項２に記載の方法であって、プライマリビットストリームが三次元ビデオデータ信号のビューのうちの一つのビューのフレームのためのデータを有し、セカンダリビットストリームが前記三次元ビデオデータ信号の他のビューのフレームのためのデータを有するように前記ビデオデータ信号が符号化される方法。
【請求項４】
請求項２に記載の方法であって、プライマリビットストリームが異なる視点からの三つ以上のビューのうちの一つのビューのフレームのためのデータを有し、一つより多くのセカンダリビットストリームが生成され、セカンダリビットストリームが他のビューのうちの一つのビューのフレームのためのデータを有するように、前記ビデオデータ信号が符号化される方法。
【請求項５】
請求項２に記載の方法であって、プライマリビットストリームがフレームの低周波数のセットのためのデータを有し、セカンダリビットストリームがフレームの高周波数のセットのためのデータを有するように、前記ビデオデータ信号が符号化される方法。
【請求項６】
請求項１に記載の方法であって、多重化信号中のプライマリビットストリームが、ベースレイヤのためのデータを有し、異なる符合を与えられた多重化信号中のセカンダリビットストリームが、拡張レイヤのためのビデオデータを有する方法。
【請求項７】
請求項１から請求項６のいずれか一項に記載の方法であって、プライマリビットストリームは、セカンダリビットストリームよりも小さい量子化係数で圧縮される方法。
【請求項８】
請求項２に記載の方法であって、フレームの第１セット及び第２セットが定期的に入れ替えられる方法。
【請求項９】
ビデオデータ信号を符号化するための符号化システムであって、
少なくともプライマリビデオデータ信号及びセカンダリビデオデータ信号を生成する発生器又は少なくともそれらを受信する受信機、
プライマリビデオデータ信号及びセカンダリビデオデータ信号を一緒に圧縮するための圧縮機であって、プライマリビデオデータ信号を自己完結的に圧縮し、セカンダリビデオデータ信号をプライマリビデオデータ信号からのデータを用いて圧縮する圧縮機、
一緒に圧縮されたビデオデータ信号を、プライマリビデオデータ信号のためのデータを有するプライマリビットストリームとセカンダリビデオデータ信号のためのデータを有するセカンダリビットストリームとの別々のビットストリームに分割するスプリッタ、並びに、
プライマリビットストリーム及びセカンダリビットストリームを多重化信号に多重化し、プライマリ信号及びセカンダリ信号に別々の符号を与える多重化装置、
を有するシステム。
【請求項１０】
請求項９に記載の拡張ビデオデータ信号を符号化する符号化システムであって、
当該システムは、インターリーブされたビデオシーケンスを構成するために第１ビュー及び第２ビューからのフレームをインターリーブするインターリーバを有するか、又は、フレームの第１セット及び第２セットを含むインターリーブされたビデオシーケンスを受信する受信機を有し、
当該システムはさらに、前記インターリーブされたビデオシーケンスを符号化する符号化器を有し、前記符号化器は、第１ビューのフレームを第２ビューのフレームを用いずに圧縮し、第２ビューのフレームを第１ビューのフレームを用いて圧縮する圧縮機を有し、
当該システムはさらに、圧縮されたビデオデータ信号をプライマリビットストリーム及びセカンダリビットストリームへと分割するスプリッタを有し、各々のビットストリームはフレームを有し、プライマリビットストリームは第１セットのための圧縮されたフレームを有し、セカンダリビットストリームは第２セットのための圧縮されたフレームを有し、プライマリビットストリーム及びセカンダリビットストリームは別々のビットストリームを構成し、
当該符号化システムはさらに、プライマリビットストリーム及びセカンダリビットストリームを多重化し、プライマリビットストリーム及びセカンダリビットストリームに別々の符号を与える多重化装置を有するシステム。
【請求項１１】
請求項１０に記載の符号化システムであって、前記インターリーバが一組のステレオビューの左及び右のビューをインターリーブするシステム。
【請求項１２】
請求項１１に記載の符号化システムであって、前記インターリーバが二つより多くのビューのフレームをインターリーブするシステム。
【請求項１３】
請求項９に記載の符号化システムであって、高周波数カメラからフレームを受信するシステム。
【請求項１４】
請求項９から請求項１３のいずれか一項に記載の符号化システムを有する記録装置。
【請求項１５】
コンピュータ上で実行される場合に請求項１から請求項８のいずれか一項に記載の符号化方法を実行するためのプログラムコードを有するコンピュータプログラム。
【請求項１６】
請求項１から請求項８のいずれか一項に記載の符号化方法を実行するためのコンピュータ可読媒体上に記録されたプログラムコードを有するコンピュータプログラム製品。
【請求項１７】
ビデオデータ信号を復号する方法であって、多重化信号が受信され、当該多重化信号は、別々の符号を有する少なくとも二つのビデオデータ信号を有し、第１ビデオデータ信号は自己完結的なビデオデータ信号であり、少なくとも一つの第２ビデオデータ信号は自己完結的ではなく、前記二つの信号は逆多重化されて統合され、統合された信号は復号されて伸長され、自己完結的なビデオデータ信号の伸長には、当該自己完結的なビデオデータ信号からのデータのみが用いられ、第２ビデオデータ信号の伸長には、第１ビデオデータ信号のデータが用いられる方法。
【請求項１８】
請求項１７に記載の復号方法であって、前記統合された信号は、インターリーブされたフレームのセットを構成し、伸長の後、前記フレームは二つ以上のビューを提供するようにデインターリーブされる方法。
【請求項１９】
請求項１８に記載の復号方法であって、左及び右のビューが形成される方法。
【請求項２０】
請求項１８に記載の復号方法であって、マルチビューのうちの一つより多くのビューが形成される方法。
【請求項２１】
請求項１７に記載の復号方法であって、第１ビデオデータ信号がベースレイヤに関するデータを有し、第２ビデオデータ信号が拡張レイヤに関するデータを有する方法。
【請求項２２】
ビデオデータ信号を復号する復号システムであって、多重化信号を受信する受信機を有し、前記多重化信号は別々の符号を有する少なくとも二つのビデオデータ信号を含み、第１ビデオデータ信号は自己完結的なビデオデータ信号であり、少なくとも一つの第２ビデオデータ信号は自己完結的ではなく、
当該システムはさらに、前記多重化信号を逆多重化する逆多重化装置、少なくとも二つの逆多重化された信号を組み合わされた信号へと統合する統合装置、及び、前記組み合わされた信号を復号及び伸長する復号器を有し、
前記復号器は、自己完結的なビデオデータ信号の伸長において、当該自己完結的なビデオデータ信号からのデータのみが用いられ、第２ビデオデータ信号の伸長において、第１ビデオデータ信号のデータが用いられるように構成されるシステム。
【請求項２３】
請求項２２に記載の復号システムであって、前記統合された信号がインターリーブされたフレームのセットを構成し、当該システムは、二つ以上のビューを提供するために、伸長の後で前記フレームをデインターリーブするデインターリーバを有するシステム。
【請求項２４】
請求項２２又は請求項２３に記載の復号システムを有するディスプレイ装置。
【請求項２５】
コンピュータ上で実行される場合に請求項１７から請求項２１のいずれか一項に記載の復号方法を実行するためのプログラムコードを有するコンピュータプログラム。
【請求項２６】
請求項１７から請求項２１のいずれか一項に記載の復号方法を実行するためのコンピュータ可読媒体上に記録されたプログラムコードを有するコンピュータプログラム製品。